(57)【要約】【課題】ワイヤーを開放規制要素とするあおり止め具において、ドア開放時にワイヤーが折り曲げられて傷付くのを解消する。【解決手段】ワイヤー５の一端は第１ワイヤーホルダー６に、ワイヤー５の他端は第２ワイヤーホルダー７にそれぞれ固定保持する。第１・第２の各ワイヤーホルダー６・７は、ドア１およびドア枠２に固定した第１ブラケット８および第２ブラケット９に支持する。第１・第２のワイヤーホルダー６・７のワイヤー導出端に、ワイヤー５の折れ曲がりを緩和する屈曲緩和具１０を装着する。屈曲緩和具１０には密巻状のコイルばねを用い、そのねじ軸部２３を第１・第２の両ワイヤーホルダー６・７のワイヤー導出端に装着する。ドア１を開放すると、屈曲緩和具１０がたわんでワイヤー５の屈曲変形に対抗するので、ワイヤー５の折れ曲がりを緩和して、ワイヤー５をなめらかに湾曲させることができる。【選択図】図１
2006057438.tif 000002
【特許請求の範囲】
【請求項１】
ワイヤー（５）を開放規制要素とするあおり止め具であって、
ワイヤー（５）の一端を固定保持する第１ワイヤーホルダー（６）と、ワイヤー（５）の他端を固定保持する第２ワイヤーホルダー（７）と、第１ワイヤーホルダー（６）および第２ワイヤーホルダー（７）を、ドア（１）およびドア枠（２）に固定する第１ブラケット（８）および第２ブラケット（９）を備えており、
第１・第２のワイヤーホルダー（６・７）のワイヤー導出端に、それぞれワイヤー（５）の折れ曲がりを緩和する屈曲緩和具（１０）が装着されていることを特徴とするあおり止め具。
【請求項２】
屈曲緩和具（１０）が密巻状のコイルばねであり、
屈曲緩和具（１０）が、第１・第２のワイヤーホルダー（６・７）のワイヤー導出端に装着されるねじ軸部（２３）と、第１・第２のワイヤーホルダー（６・７）のワイヤー導出端から突出して、ワイヤー（５）の折れ曲がりを緩和する屈曲部（２４）とを備えている請求項１記載のあおり止め具。
【請求項３】
ワイヤー（５）の両端に、エンド金具（１３）が固定されており、
第１ワイヤーホルダー（６）と、第２ワイヤーホルダー（７）とが、エンド金具（１３）を受け止める筒状のケース（１４）と、ケース（１４）に形成されて屈曲緩和具（１０）のねじ軸部（２３）が螺合する取付ねじ（１６）とを備えている請求項１または２記載のあおり止め具。
【請求項４】
第１ワイヤーホルダー（６）が、ワイヤー（５）の一端に固定したエンド金具（１３）を受け止める筒状のケース（１４）と、ケース（１４）に形成されて屈曲緩和具（１０）のねじ軸部（２３）が螺合する取付ねじ（１６）とを備えており、
第２ワイヤーホルダー（７）が、ワイヤー（５）の自由端側を捕捉固定するボールチャックで構成されている請求項１または２記載のあおり止め具。
【請求項５】
エンド金具（１３）とケース（１４）のワイヤー導出端側の端壁との間に、衝撃吸収ばね（２６）が配置してある請求項３または４記載のあおり止め具。
【請求項６】
一端にエンド金具（１３）が固定してあるワイヤー（５）と、ドア（１）およびドア枠（２）にそれぞれ締結固定される第１・第２のブラケット（８・９）と、各ブラケット（８・９）の支持腕（２０）にそれぞれ装着固定されるワイヤー受具（４１）およびボールッチャック（４２）とを備えているあおり止め具であって、
第１・第２のブラケット（８・９）の支持腕（２０）に、ワイヤー（５）の折れ曲がりを緩和する屈曲緩和具（１０）がそれぞれ装着されており、
ワイヤー受具（４１）および屈曲緩和具（１０）に挿通したワイヤー（５）の自由端側が、屈曲緩和具（１０）を介してボールチャック（４２）で捕捉固定されており、
ドア（１）を閉じた状態における各ブラケット（８・９）の支持腕（２０）が、ドア（１）の面壁と直交する状態で平行に配置されていることを特徴とするあおり止め具。
【請求項７】
屈曲緩和具（１０）が、密巻状のコイルばねであり、
屈曲緩和具（１０）が、各ブラケット（８・９）の支持腕（２０）にねじ込み装着されるねじ軸部（２３）と、支持腕（２０）から突出してワイヤー（５）の折れ曲がりを緩和する屈曲部（２４）とを備えている請求項６記載のあおり止め具。
【請求項８】
第１・第２のブラケット（８・９）が、ドア（１）およびドア枠（２）に締結される締結座（１９）と、締結座（１９）の一端に連続して折り曲げ形成された支持腕（２０）とを備えたＬ字状のプレス金具であり、
支持腕（２０）のねじ穴（４３）にねじ込み装着した屈曲緩和具（１０）のねじ軸部（２３）に、ワイヤー受具（４１）およびボールッチャック（４２）がねじ込み装着されている請求項６または７記載のあおり止め具。
【請求項９】
ボールチャック（４２）を支持する第２ブラケット（９）が、閉じ状態のドア（１）の面壁と平行な締結座（１９）と、締結座（１９）の辺部に連続して直交状に折り曲げ形成された支持腕（２０）とを備えている請求項６または７記載のあおり止め具。
【請求項１０】
締結座（１９）の対向辺部に一対の支持腕（２０・２０）を折り曲げ形成することにより、第２ブラケット（９）が右用のブラケットと左用のブラケットとを兼ねている請求項９記載のあおり止め具。
【発明の詳細な説明】
【技術分野】
【０００１】
本発明は、揺動開閉可能なドアや窓に適用されるあおり止め具、なかでもワイヤーを規制要素とするあおり止め具に関する。
【背景技術】
【０００２】
ワイヤーを規制要素とするあおり止め具は特許文献１に公知である。そこでは、ワイヤーの一端をボールチャックと取付金具とを介してドア枠に固定し、ワイヤーの他端をドアに固定している。取付金具は、平面から見て横長コ字状に形成してあり、一方の腕にボールチャックがねじ込み固定される。他方の腕にはガイド孔を通設してあり、ドア側からガイド孔に通したワイヤーの端をボールチャックに差し込み連結している。
【０００３】
本出願人は同様のあおり止め具を先に提案している（特許文献２参照）。そこでは、ワイヤーの一端をボールチャックで固定するが、ボールチャックをＬ字型のホルダーに対してコイルばねを介して取り付ける点に特長を有する。このあおり止め具によれば、ドアを開放した状態において、コイルばねがワイヤーの張り方向へ撓み変形するので、ワイヤーが急な角度で折れ曲がるのを防止できる。ドア開放時に、緊張したワイヤーによってボールチャックの操作軸が押し込み操作されて、ワイヤーのクランプ状態が解除されることもない。
【０００４】
【特許文献１】特許第３５０９６５０号公報（段落番号０００７、図１）
【特許文献２】特開２００４−３１６３５７号公報（段落番号００１０、図１）
【発明の開示】
【発明が解決しようとする課題】
【０００５】
特許文献１のあおり止め具は、ボールチャックに対するワイヤーの差し込み量を加減することにより、ドアの限界開放開量を自由に変更できる。しかし、ドアを開放した状態において、取付金具のガイド孔の開口縁でワイヤーがく字状に折れ曲がるため、ドアが風にあおられてがた付くような場合に、ワイヤーが反復屈曲されて傷みやすく、短期間で切断しやすい。開きかけたドアが、風にあおられて全開位置まで急に開放揺動するとき、先の折れ曲がり部分に応力が集中するので、ワイヤーが損傷しやすい。切断したワイヤーは長さが不足するので、新規ワイヤーと交換する以外になく、その交換に手間とコストが掛かる。
【０００６】
ドアを開放した状態においては、ワイヤーが両端の取付金具に対して斜めに交差する状態で緊張するため、ワイヤーの両端は、それぞれく字状に折れ曲がってくせ付けされる。そのため、本来、ガイド孔やボールチャックに対して出入り自由であるワイヤーが、取付金具のガイド孔に引っ掛かり、あるいはくせ付け部分がボールチャックに引っ掛かって、ワイヤーの有効長さを短くすることが困難になる。
【０００７】
上記のように、ワイヤーの両端が取付金具に引っ掛かった状態では、取付金具間のワイヤー全体がたるんだ状態で垂れ下がり、ドア近傍に設けられた機器類に絡まることがある。このようにワイヤーが他物に絡まってしまうと、ドアを開放操作するとき全開放できないのはもちろん、最悪の場合にはドアの開放量が極端に小さくて、人が出入りできないこともある。
【０００８】
本発明の目的は、ドア開放時のワイヤーの折れ曲がりを緩和して、ワイヤーを規制要素とするあおり止め具の耐久性を向上することにある。本発明の目的は、開きかけたドアが風にあおられて全開位置まで急に開放揺動する場合や、ドアが風にあおられてがた付くような場合に、ワイヤーに作用する曲げ外力と衝撃力とを緩和吸収して、ワイヤーの損傷を解消できるあおり止め具を提供することにある。本発明の目的は、全体構造が簡単で、コストが少なくて済むあおり止め具を提供することにある。本発明の目的は、ドア開放時にワイヤーがく字状にくせ付けされるのを解消して、各ブラケットに対するワイヤーの出入りを円滑化し、以て、ドアの開放量の調整を常に確実に行え、さらに、ドアを閉じた状態において、たるんだワイヤーが他物に絡まり、あるいは引っ掛かるのを確実に防止して、ドアの開閉を常に円滑に行えるあおり止め具を提供することにある。
【課題を解決するための手段】
【０００９】
本発明のあおり止め具は、ワイヤー５を開放規制要素としており、図１ないし図４に示すごとく、ワイヤー５の一端を固定保持する第１ワイヤーホルダー６と、ワイヤー５の他端を固定保持する第２ワイヤーホルダー７と、第１ワイヤーホルダー６および第２ワイヤーホルダー７を、ドア１およびドア枠２に固定する第１ブラケット８および第２ブラケット９とを備えており、第１・第２の両ワイヤーホルダー６・７のワイヤー導出端には、それぞれワイヤー５の折れ曲がりを緩和する屈曲緩和具１０が装着されていることを特徴とする。
【００１０】
図３において屈曲緩和具１０は、密巻状のコイルばねであり、第１・第２のワイヤーホルダー６・７のワイヤー導出端に装着されるねじ軸部２３と、第１・第２のワイヤーホルダー６・７のワイヤー導出端から突出して、ワイヤー５の折れ曲がりを緩和する屈曲部２４とを備えている。
【００１１】
ワイヤー５の両端には、エンド金具１３が固定されており、第１ワイヤーホルダー６と、第２ワイヤーホルダー７とは、それぞれエンド金具１３を受け止める筒状のケース１４と、ケース１４に形成されて屈曲緩和具１０のねじ軸部２３が螺合する取付ねじ１６とを備えている。
【００１２】
本発明の別のあおり止め具は、図５ないし図６に示すごとく、第１ワイヤーホルダー６が、ワイヤー５の一端に固定したエンド金具１３を受け止める筒状のケース１４と、ケース１４に形成されて屈曲緩和具１０のねじ軸部２３が螺合する取付ねじ１６とを備えており、第２ワイヤーホルダー７は、ワイヤー５の自由端側を捕捉固定するボールチャックで構成する。
【００１３】
この場合も、図３に示すように、エンド金具１３とケース１４のワイヤー導出端側の端壁との間に、衝撃吸収ばね２６を配置することができる。
【００１４】
本発明の更に別のあおり止め具は、図９ないし図１２に示すごとく、一端にエンド金具１３が固定してあるワイヤー５と、ドア１およびドア枠２にそれぞれ締結固定される第１・第２のブラケット８・９と、各ブラケット８・９の支持腕２０にそれぞれ装着固定されるワイヤー受具４１およびボールッチャック４２とを備えている。第１・第２のブラケット８・９の各支持腕２０には、ワイヤー５の折れ曲がりを緩和する屈曲緩和具１０がそれぞれ装着されている。ワイヤー受具４１と屈曲緩和具１０とに挿通したワイヤー５の自由端側は、屈曲緩和具１０を介してボールチャック４２で捕捉固定する。かくして、ドア１を閉じた状態における各ブラケット８・９の支持腕２０が、図９に示すごとくドア１の面壁と直交する状態で平行に配置されるようにしたことを特徴とする。
【００１５】
屈曲緩和具１０は、図１１に示すごとく密巻状のコイルばねであり、各ブラケット８・９の支持腕２０にねじ込み装着されるねじ軸部２３と、支持腕２０から突出してワイヤー５の折れ曲がりを緩和する屈曲部２４とを備えている。
【００１６】
第１・第２のブラケット８・９は、ドア１およびドア枠２に締結される締結座１９と、締結座１９の一端に連続して折り曲げ形成される支持腕２０とを備えたＬ字状のプレス金具で構成する。図１１および図１２に示すごとく、支持腕２０のねじ穴４３にねじ込み装着した屈曲緩和具１０のねじ軸部２３に、ワイヤー受具４１およびボールッチャック４２がねじ込み装着されている。
【００１７】
ボールチャック４２を支持する第２ブラケット９は、閉じ状態のドア１の面壁と平行な締結座１９と、締結座１９の辺部に連続して直交状に折り曲げ形成される支持腕２０とを備えている。
【００１８】
締結座１９の対向辺部には一対の支持腕２０・２０を折り曲げ形成して、第２ブラケット９が右用のブラケットと左用のブラケットを兼ねるようにする。
【発明の効果】
【００１９】
請求項１記載の本発明によれば、ドア１およびドア枠２に装着される第１・第２のワイヤーホルダー６・７のワイヤー導出端に屈曲緩和具１０を装着して、ドア１を開放した状態において、ワイヤー５の折れ曲がりを屈曲緩和具１０で緩和できるようにした。ワイヤー５が屈曲する部分では、屈曲緩和具１０が弾性変形して、その変形応力によってワイヤー５の屈曲力に対抗する。そのため、ワイヤー５は、屈曲緩和具１０から受ける反発力の分だけ屈曲部分の角度が緩やかになり、しかも屈曲緩和具１０の変形形状に沿って湾曲状に屈曲する。その結果、ワイヤー５が急な角度でく字状に折れ曲がるのを解消して、あおり止め具の耐久性を向上できる。
【００２０】
請求項２記載の本発明によれば、屈曲緩和具１０が密巻状のコイルばねで形成されているので、隣接するばね線材どうしが密着しているため、屈曲部分の内側においてばね線材どうしが収縮して接近する余地がなく、その分だけ屈曲緩和具１０の屈曲応力が大きくなる（このことは、ばね線材の間に隙間があるコイルばねが屈曲する場合を想定すると理解しやすい）。したがって、より大きな反発力をワイヤー５の屈曲部分に作用させて、さらに効果的にワイヤー５の折れ曲がりを解消できる。ワイヤー５の緊張力が開放されると、コイルばね１９は自己の弾性によって直線姿勢に戻るので、ドア１を閉じた状態においてコイルばね１９がドア１に接触緩衝するのを防止できる。更に、密巻状のコイルばねで屈曲緩和具１０が形成されていると、その螺旋構造を利用してねじ軸部２３を設けることができるので、屈曲緩和具１０の取り付け構造が簡素化し、その分だけあおり止め具全体の製作コストを削減できる。
【００２１】
請求項３記載の本発明によれば、あおり止め具の全体構造が簡素化して、その製造コストを減少できる。とくに、第１・第２のワイヤーホルダー６・７のケース１４が共通部品化してある場合には、製造コストをさらに減少して、あおり止め具を安価に提供できる。
【００２２】
請求項４記載の本発明によれば、ボールチャックに対するワイヤー５の差し込み量を加減することにより、ドア１の開放量を大小に変更できるうえ、ワイヤー５を長めにしておくことにより、あおり止め具を大小のドア１に共通して適用できる。
【００２３】
請求項５記載の本発明によれば、開きかけたドアが風にあおられて全開位置まで急に開放揺動する場合や、ドアが風にあおられてがた付くような場合に、衝撃吸収ばね２６が変形することで、ワイヤー５に作用する衝撃力を緩和吸収できるので、ワイヤー５および第１・第２の両ワイヤーホルダー６・７に過大な外力が作用するのを解消し、あおり止め具の耐久性が向上する。
【００２４】
請求項６記載の本発明によれば、ドア１を開放した状態において、ワイヤー５の折れ曲がりを屈曲緩和具１０で緩和できるようにした。ワイヤー５が屈曲する部分では、屈曲緩和具１０が弾性変形して、その変形応力によってワイヤー５の屈曲力に対抗する。そのため、ワイヤー５は、屈曲緩和具１０から受ける反発力の分だけ屈曲部分の角度が緩やかになり、しかも屈曲緩和具１０の変形形状に沿って湾曲状に屈曲する。その結果、ワイヤー５が急な角度でく字状に折れ曲がるのを解消して、あおり止め具の耐久性が向上する。
【００２５】
更に請求項６記載の本発明によれば、上記のようにドア開放時にワイヤー５がく字状にくせ付けされるのを解消できることに加えて、ドア閉じ状態における各ブラケット８・９の支持腕２０を、ドア１の面壁と直交する状態で平行に配置して、ドア１を開閉操作するときの各ブラケット８・９に対するワイヤー５の出入りを円滑化するので、必要に応じてワイヤー５の有効長さを短縮し、あるいは増加して、ドア１の開放量の調整を常に確実に行える。さらに、ドア１を閉じた状態においては、エンド金具１３の側のワイヤー端をワイヤー受具４１から遠ざかる側へ退入させて、一対の屈曲緩和具１０で支えられるワイヤー５の全長を短くできる。これにより、ワイヤー５の殆どの部分をヘアーピン状に屈曲する状態でドア１の内面にコンパクトに収めることができる。したがって、ワイヤー５の屈曲部分が大きく垂れ下がるのを解消して、ワイヤー５が他物に絡まったり、あるいは引っ掛かったりするのを確実に防止でき、ドア１の開閉を常に円滑に行える。
【００２６】
請求項７記載の本発明によれば、屈曲緩和具１０が密巻状のコイルばねであるから、請求項６の作用効果に加えて、隣接するばね線材どうしが密着するため、屈曲部分の内側においてばね線材どうしが収縮し接近する余地がなく、その分だけ屈曲緩和具１０の屈曲応力が大きくなる。したがって、より大きな反発力をワイヤー５の屈曲部分に作用させて、さらに効果的にワイヤー５の折れ曲がりを解消できる。ワイヤー５の緊張力が開放されると、コイルばね１９は自己の弾性によって直線姿勢に戻るので、ドア１を閉じた状態においてコイルばね１９がドア１に接触緩衝するのを防止できる。密巻状のコイルばねで屈曲緩和具１０を形成すると、その螺旋構造を利用してねじ軸部２３を設けることができるので、屈曲緩和具１０の取付構造を簡素化し、その分だけあおり止め具全体の製作コストを削減できる。
【００２７】
請求項８記載の本発明によれば、屈曲緩和具１０のねじ軸部２３を利用してワイヤー受具４１およびボールッチャック４２を、第１・第２のブラケット８・９の支持腕２０に装着できるので、ワイヤー受具４１およびボールッチャック４２の取り付け構造を簡素化できる分だけ、あおり止め具全体の製作コストを削減できる。
【００２８】
請求項９記載の本発明によれば、第２ブラケット９に装着したボールチャック４２や、ボールチャック４２側の余分なワイヤー端を、ドア１やドア枠２に沿ってコンパクトに配置できる。
【００２９】
請求項１０記載の本発明によれば、１個の第２ブラケット９を用意するだけで、右用のブラケットと左用のブラケットとのいずれにも適用できるので、その分だけあおり止め具の製作コストを削減して、安価に提供できる。なお、ボールチャック４２側の余分なワイヤー端は、支持腕２０に設けたねじ穴２１で支持して第２ブラケット９の側方へ突出させることができる。
【発明を実施するための最良の形態】
【００３０】
（実施例１）  図１ないし図４は本発明に係るあおり止め具の実施例１を示す。図１および図２において符号１はドア、２はドア枠、３はドア１を揺動開閉自在に支持するヒンジである。
【００３１】
実施例１のあおり止め具は、ワイヤー５を開放規制要素として構成している。ワイヤー５のドア側の端部は第１ワイヤーホルダー６で固定保持される。ワイヤー５のドア枠側の端部は第２ワイヤーホルダー７で固定保持される。
【００３２】
第１ワイヤーホルダー６は、ドア１に締結固定した第１ブラケット８に支持する。第２ワイヤーホルダー７はドア枠２に締結固定した第２ブラケット９に支持する。第１・第２の両ワイヤーホルダー６・７のワイヤー導出端には、それぞれワイヤー５の折れ曲がりを緩和する屈曲緩和具１０を装着する。ワイヤー５の両端には、球状のエンド金具１３をかしめ固定してある（図３参照）。
【００３３】
第１ワイヤーホルダー６および第２ワイヤーホルダー７は、図３に示すように、それぞれ一端が開口する円筒状のケース１４と、ケース１４の開口を塞ぐケース蓋１５とを有し、ケース１４のワイヤー導出端側の端壁に取付ねじ１６を貫通状に形成してある。ケース１４およびケース蓋１５は、それぞれステンレス鋼を素材とする旋削品からなる。両ワイヤーホルダー６・７のケース１４およびケース蓋１５は共通部品であり、ケース蓋１５は、ケース１４に圧嵌固定する。
【００３４】
第１ブラケット８および第２ブラケット９は、ステンレス板材を素材とするＬ字状のプレス金具であり、図３に示すように、締結座１９の一端から支持腕２０を直交状に折り曲げ形成してある。
【００３５】
支持腕２０には、屈曲緩和具１０をねじ込み装着するためのねじ穴２１が貫通状に形成されている。図１において締結座１９をドア１の内面上部、およびドア枠２の上框にあてがってビス２２で締結することにより、第１ブラケット８と第２ブラケット９とは、それぞれの支持腕２０が垂直になる姿勢でドア１とドア枠２とに固定する。ねじ穴２１の呼び径およびねじピッチは、先の取付ねじ１６の呼び径およびねじピッチと一致している。第１ブラケット８と第２ブラケット９とは共通部品である。
【００３６】
屈曲緩和具１０は密巻状のコイルばねからなり、図３に示すように、第１・第２のワイヤーホルダー６・７のワイヤー導出端に装着されるねじ軸部２３と、ワイヤー導出端から突出する屈曲部２４とを一体に備えている。ねじ軸部２３における素線の隣接ピッチは、先の取付ねじ１６およびねじ穴２１のねじピッチに一致させてある。屈曲部２４は、その内面がワイヤー５の周面に密着できる内径寸法に設定した。
【００３７】
第１・第２の各ブラケット８・９のねじ穴２１に屈曲緩和具１０のねじ軸部２３をねじ込むことにより、屈曲緩和具１０を第１・第２の各ブラケット８・９と一体化する。さらに、支持腕２０から突出するねじ軸部２３にケース１４の取付ねじ１６をねじ込むことにより、第１・第２のワイヤーホルダー６・７を各ブラケット８・９に固定して一体化する。このとき、ねじ軸部２３より小径とした屈曲部２４は、ねじ込む必要がなく、その分だけ屈曲緩和具１０をねじ穴２１に簡単にねじ込める。
【００３８】
例えば、開きかけたドア１が風にあおられて全開位置まで急に開放揺動するような場合に、ワイヤー５に作用する衝撃を緩和吸収するために、エンド金具１３とケース１４のワイヤー導出端側の端壁との間には、衝撃吸収ばね２６を配置する。衝撃吸収ばね２６は、圧縮コイル形のばねからなり、自由状態においてエンド金具１３をケース蓋１５の近傍位置で受け止めている。
【００３９】
あおり止め具は、第１・第２のブラケット８・９に、屈曲緩和具１０と各ワイヤーホルダー６・７とを組み付けた後、各ケース１４内に衝撃吸収ばね２６を装填したうえでワイヤー５を挿通し、その両端にエンド金具１３をかしめ固定し、ケース１４の開口にケース蓋１５を圧嵌固定した状態、すなわち全ての構成部品を分離不能に組み付けた状態で供給する。したがって、施工時には、第１・第２の両ブラケット８・９をビス２２でドア１とドア枠２とに締結固定するだけでよく、施工の手間を著しく省くことができる。
【００４０】
このように、同一部品とした第１・第２のワイヤーホルダー６・７でワイヤー５を固定保持すると、あおり止め具の全体構造を簡素化して、製造コストを減少できる。ドア１を開放した図１の状態においては、屈曲緩和具１０の屈曲部２４が図４に示すごとくたわみ変形して、ワイヤー５の屈曲変形に反発するので、ワイヤー５および屈曲部２４は、緩やかに湾曲する以外になく、したがってワイヤー５がく字状に折れ曲がるのを解消できる。屈曲部２４においては、ワイヤー５とコイル部分との隙間が小さい分だけ、ワイヤー５の折れ曲がりを効果的に規制できる。
【００４１】
いま、ドア１が急開放するときは、図４に示すように衝撃吸収ばね２６が圧縮変形して衝撃を吸収する。同時に、屈曲緩和具１０も屈曲変形して衝撃吸収作用を助ける。したがって、ワイヤー５および第１・第２のワイヤーホルダー６・７に過大な外力が作用するのを解消でき、全体としてあおり止め具の耐久性が向上する。
【００４２】
屈曲緩和具１０のねじ軸部２３をねじ穴２１にねじ込んで、屈曲緩和具１０を各ブラケット８・９に装着し、さらに支持腕２０から突出するねじ軸部２３にケース１４をねじ込むことにより、第１・第２のワイヤーホルダー６・７を各ブラケット８・９に固定してあるので、各ワイヤーホルダー６・７と、各ブラケット８・９と、屈曲緩和具１０とを一体化するための構造を簡略化でき、その分だけあおり止め具の製造コストを削減できる。屈曲緩和具１０を各ブラケット８・９にねじ込んだのち、ケース１４を増締めすることにより、ロックナットで屈曲緩和具１０を固定したのと同様の効果が得られ、屈曲緩和具１０をより確実に固定できる。
【００４３】
（実施例２）  図５ないし図７は、本発明に係るあおり止め具の実施例２を示す。ここでは、第２ワイヤーホルダー７がボールチャックを含み、このボールチャックでワイヤー５の自由端側を捕捉固定できるようにし、ボールチャックに対するワイヤー５の差し込み量を加減することにより、ドアの限界開放開量を自由に変更できるようにした。第１ブラケット８は平板状に形成した。第１ワイヤーホルダー６は一端が開放する円筒状のケース１４で形成するが、その長さは実施例１のケース１４に比べて幾分短い。先のケース蓋１５および衝撃吸収ばね２６は省略した。
【００４４】
ボールチャックは、図６に示すごとく、内面にテーパー壁３０が形成されたケース本体３１と、ケース本体３１内に挿嵌されて３個のスチール製のボール３２を保持するボールホルダー３３と、ボールホルダー３３をテーパー壁３０に向かって押し付け付勢する圧縮コイル形のばね３４と、ケース内面のねじ穴にねじ込み装着されるばね受３５とを含む。テーパー壁３０の小径端に隣接するケース３１の端壁には、屈曲緩和具１０をねじ込むためのねじ穴３７が貫通状に形成されている。
【００４５】
ケース本体３１に形成した前記ねじ穴３７と、支持腕２０に形成した前記ねじ穴２１とは、同じ呼び径、同じねじピッチに設定する。ボールホルダー３３には、ボール３２をクランプ解除するための操作軸３８を一体に設けておく。操作軸３８は、ばね受３５側からケース外へ突出しており、その突端寄りに摘みを備えている。ケース本体３１は、先の実施例１と同様に、支持腕２０から突出するねじ軸部２３にねじ穴３７をねじ込むことにより、第２ブラケット９に固定できる。
【００４６】
常態において、３個のボール３２はテーパー壁３０に押されてボールホルダー３３の中心へ移動し、ボールホルダー３３の中心の挿通孔に差し込んだワイヤー５をクランプ固定する。
【００４７】
この状態で、ケース本体３１の端部から突出する操作軸３８を、ばね３４の付勢力に抗して外側へ引っ張り操作すると、ボール３２によるクランプ状態が解除されてワイヤー５を自由に出し入れできる。他は実施例１と同じであるので、同じ部材には同じ符号を付してその説明を省略する。以下の各実施例においても同様に扱う。
【００４８】
（実施例３）  図８は第１ワイヤーホルダー６を変更した本発明の実施例３を示す。そこでは、実施例２で説明した第１ワイヤーホルダー６を、実施例１で説明した第１ブラケット８で支持するようにした。
【００４９】
（実施例４）  図９ないし図１２は本発明に係るあおり止め具の実施例４を示す。実施例４のあおり止め具は、一端にエンド金具１３を固定してあるワイヤー５と、ドア１およびドア枠２にそれぞれ締結固定される第１・第２のブラケット８・９と、各ブラケット８・９の支持腕２０・２０にそれぞれ装着固定される屈曲緩和具１０と、ワイヤー受具４１およびボールッチャック（第２ホルダー）４２などを含む。
【００５０】
ボールッチャック４２は、実施例２のそれと実質的に同じ構造であるが、後述するように、そのケース本体３１に設けたねじ穴３７が異なる。
【００５１】
第１ブラケット８は、締結座１９の一側下端から支持腕２０を直交状に折り曲げ形成してなる。支持腕２０には屈曲緩和具１０のねじ軸部２３をねじ込み装着するためのねじ穴２１を形成してある。図１０に示すように、締結座１９はドア１の内面上部に、ドア面壁と平行になるようにあてがって、ビス２２で締結することにより、ドア１に固定する。このときの支持腕２０はドア１の吊元側（ヒンジ側）を指向する。
【００５２】
ワイヤー受具４１は、基本的に六角ナットであるが、ねじ軸部２３と螺合するねじ穴４３が特殊化してある。すなわちねじ穴４３は、部分円弧状の谷部４３ａと、隣接する谷部４３ａで挟まれる幅狭の山部４３ｂとをねじ状に連続して形成してあり、一般的なナットに形成される三角ねじ、あるいは丸ねじとは構造が異なる。
【００５３】
谷部４３ａの隣接ピッチは、ねじ軸部２３のコイルピッチと同じに設定し、谷部４３ａの円弧面の半径を、ねじ軸部２３を構成するばね線材の半径と同じに設定した。谷部４３ａの直径は、ねじ軸部２３の外直径と同じに設定した。ねじ穴４３の谷部４３ａから山部４３ｂまでの高さは、ねじ軸部２３を構成するばね線材の半径より僅かに小さく設定して、ねじ軸部２３を密巻き状態でねじ込めるようにした。
【００５４】
各ブラケット８・９の支持腕２０に形成されるべき前記ねじ穴２１、およびケース本体３１に設けられるべき前記ねじ穴３７も、ワイヤー受具４１のねじ穴４３と同じ構造になっている。このように、特殊な形状のねじ穴２１を形成できるタップは市販されていないので、本出願人は上記の螺旋仕様を満足できる螺旋タップをタップメーカーに特注して、各部品の加工を行った。
【００５５】
第１ブラケット８の支持腕２０に屈曲緩和具１０のねじ軸部２３をねじ込み、さらに、支持腕２０から突出するねじ軸部２３にワイヤー受具４１をねじ込むことにより、屈曲緩和具１０とワイヤー受具４１とを第１ブラケット８に一体化する。第２ブラケット９は実施例２で説明した第２ブラケットと同じ構造であって、同じ形態でドア枠２に締結固定され、その支持腕２０に屈曲緩和具１０とボールッチャック４２とが実施例２と同様にしてねじ込み装着される。
【００５６】
実施例４のあおり止め具によれば、図１０に示すように、開放されたドア１の開放限界をワイヤー５で規制できる。このときの屈曲緩和具１０は、図１２に示すように屈曲部２４がたわみ変形して、ワイヤー５の屈曲変形に反発するので、ワイヤー５および屈曲部２４は緩やかに湾曲する。
【００５７】
これにより、湾曲部分がく字状にくせ付けされるのを防止でき、ワイヤー５を弛緩させた状態では、湾曲部分を自己の弾性力で直線状に復帰させることができる。したがって、ワイヤー５をボールッチャック４２に対して出し入れして、ドア１の開放量の調整を支障なく行うことができる。
【００５８】
ブラケット８・９間のワイヤー５は、ドア１が閉じ移動するのに伴って徐々に屈曲するが、屈曲応力が増すのに伴って、エンド金具１３側のワイヤー端は屈曲緩和具１０の内部をくぐり抜けて、ワイヤー受具４１から徐々に遠ざかる。つまり、ドア１が全閉位置に近づくほど、エンド金具１３はワイヤー受具４１から遠ざかるので、一対の屈曲緩和具１０で支えられるワイヤー５の全長が短くなる。
【００５９】
これにより、ドア１を全閉した状態において、ワイヤー５の殆どの部分は、ヘアーピン状に屈曲する状態でドア１の内面にコンパクトに収まり、屈曲部分が大きく垂れ下がることもない。したがって、ワイヤー５が他物に絡まったり、あるいは引っ掛かったりするのを確実に防止して、ドア１の開閉を常に円滑に行える。上記のような屈曲部２４におけるワイヤー５の潜り抜けを容易化するために、両者の間に僅かな隙間を設けるとよい。
【００６０】
ワイヤー５は、ドア１を開閉する毎に屈曲緩和具１０の内部を出入りする向きにくぐり抜けるが、このくぐり抜けを円滑に行うために、ドア１を閉じた状態において、第１・第２のブラケット８・９の各支持腕２０・２０をドア１の面壁と直交する平行姿勢にして、ワイヤー５をドア１の面壁に沿って退縮できるようにしている（図９参照）。仮に、実施例２で示すように第２ブラケット９が平板状に形成され、ドア１の面壁と平行に配置してある場合には、同様にワイヤー５は屈曲緩和具１０をくぐり抜けることができるが、すぐにエンド金具１３がドア１の面壁で受け止められるので、ワイヤー５の退縮量は小さい。
【００６１】
なお、先に説明した第１ブラケット８をドア枠２に表裏反転した状態で締結し、第２ブラケット９として利用してもよい。必要があれば、図１３に示す実施例５の第２ブラケット９に、ボールッチャック４２を装着することができる。実施例５の第２ブラケット９と、実施例４で説明した第１ブラケット８とは、左右対称の関係にあり、右用と左用とで使い分けることができる。
【００６２】
図１４に示す実施例６のブラケットは、締結座１９の対向辺部に一対の支持腕２０を折り曲げ形成した第２ブラケット９である。この第２ブラケット９によれば、右用のブラケットと左用のブラケットとを兼ねることができるので、上記のように右用と左用とで使い分ける必要はない。
【００６３】
上記の実施例以外に、ケース１４の一端に設けたねじ軸を各ブラケット８・９のねじ穴２１にねじ込んで、ケース１４を各ブラケット８・９に固定することができる。その場合には、ケース１４に設けた取付ねじ１６に屈曲緩和具１０のねじ軸部２３を直接ねじ込んで、屈曲緩和具１０をケース１４と一体化する。
【００６４】
屈曲緩和具１０としてはフレキシブルパイプを適用できる。エンド金具１３は球状である必要はなく、例えば短軸状に形成してもよい。ボールチャックで構成した第２ワイヤーホルダー７はドア１側に取り付けることができる。屈曲緩和具１０は密巻したコイルばねで形成するのが好ましいが、コイル素線間に僅かな隙間があっても実用上は問題なく使用できる。ケース１４およびケース本体３１は、ロックナットを併用して緩み回動不能に固定することができる。
【図面の簡単な説明】
【００６５】
【図１】実施例１のあおり止め具の使用状態を示す斜視図である。
【図２】実施例１のあおり止め具の使用状態を示す一部破断正面図である。
【図３】実施例１のあおり止め具の構成部品を分解した一部破断正面図である。
【図４】実施例１の屈曲緩和具の変形状態を拡大して示す横断平面図である。
【図５】実施例２のあおり止め具の使用状態を示す斜視図である。
【図６】実施例２のあおり止め具の構成部品を分解した一部破断正面図である。
【図７】実施例２の屈曲緩和具の変形状態を示す横断平面図である。
【図８】実施例３の屈曲緩和具の変形状態を示す横断平面図である。
【図９】実施例４のあおり止め具の使用状態を示す横断平面図である。
【図１０】実施例４のあおり止め具の使用状態を示す斜視図である。
【図１１】実施例４のあおり止め具の構成部品を分解した一部破断正面図である。
【図１２】実施例４の屈曲緩和具の変形状態を示す横断平面図である。
【図１３】実施例５の第２ブラケットを示す斜視図である。
【図１４】実施例６の第２ブラケットを示す斜視図である。
【符号の説明】
【００６６】
１  ドア
２  ドア枠
５  ワイヤー
６  第１ワイヤーホルダー
７  第２ワイヤーホルダー
８  第１ブラケット
９  第２ブラケット
１０  屈曲緩和具
１３  エンド金具
１４  ケース
１６  取付ねじ
１９  締結座
２０  支持腕
２３  ねじ軸部
２４  屈曲部
２６  衝撃吸収ばね
４１  ワイヤー受具
４２  ボールチャック
４３  ねじ穴
【図１】
2006057438.tif 000003
【図２】
2006057438.tif 000004
【図３】
2006057438.tif 000005
【図４】
2006057438.tif 000006
【図５】
2006057438.tif 000007
【図６】
2006057438.tif 000008
【図７】
2006057438.tif 000009
【図８】
2006057438.tif 000010
【図９】
2006057438.tif 000011
【図１０】
2006057438.tif 000012
【図１１】
2006057438.tif 000013
【図１２】
2006057438.tif 000014
【図１３】
2006057438.tif 000015
【図１４】
2006057438.tif 000016